(57)【特許請求の範囲】
【請求項１】
四角形状の底面板と、該底面板の各辺から立設する、前面板、右側面板、後面板及び左側面板と、前記後面板の上端辺に連接し、前記底面板に対向する天面板とを有する角筒状箱体であり、
該角筒状箱体は、前記天面板に連接し、前記前面板を上端から部分的に覆う被覆フラップを有し、
前記後面板には左右方向に伸びるヒンジ線が形成され、該ヒンジ線の両端に連結する開封線が前記右側面板、前記前面板及び前記左側面板に跨って形成され、
前記ヒンジ線及び前記開封線を境界として、前記底面板を含み、内部に内容物を収容する本体部と、前記天面板を含み、前記ヒンジ線を軸として後方に回動することで前記本体部を開封する開封部とが区画された包装用箱において、
前記被覆フラップは、前記前面板の前記開封線よりも上方の領域に接着され、かつ、前記前面板に形成された開封線を覆い、
前記前面板は、前記開封線と、該開封線から下方に向かって伸び、かつ、前記被覆フラップの下端辺よりも下方位置まで延在する２本の切目線と、該２本の切目線の下端部同士を結ぶ連結線とで区画された押し破り領域を有し、
前記前面板に形成された前記開封線は、段差部を１つずつ形成する一対の第１開封線と、各段差部のために各第１開封線よりも下方に１つずつ配置された一対の第２開封線とを有し、
前記左右方向において、前記押し破り領域は、２つの前記段差部によって挟まれていることを特徴とする包装用箱。
【請求項２】
前記右側面板及び前記左側面板に形成された開封線は、線状の第１切れ目と、該第１切れ目の前記切目線側の先端から斜めに伸びる線状の第２切れ目と、該第２切れ目の端に連続し、前記第１切れ目の延長線に並行する線状の第３切れ目とを有する複数の屈曲線状の切れ目線が、それぞれつなぎを介して１列に並べられており、
前記前面板に形成された前記押し破り領域以外の部分の開封線は、
（ａ）線状の第１切れ目と、該第１切れ目の前記切目線側の先端から斜めに伸びる線状の第２切れ目とからなる屈曲線状の第１切れ目線である前記第１開封線を含むことを特徴とする請求項１に記載の包装用箱。
【請求項３】
前記前面板に形成された前記押し破り領域以外の部分の開封線は、
（ｂ）線状の第１切れ目からなる第２切れ目線との組合せである
請求項２に記載の包装用箱。
【請求項４】
前記内容物が折曲げられたシート状物であり、該折曲げられたシート状物が、前記押し破り領域の内表面に接した状態で収納されていることを特徴とする請求項１〜３のいずれか一つに記載の包装用箱。
【請求項５】
前記被覆フラップの下端辺と前記開封線の前記２本の切目線の間の部分との距離は、５ｍｍ以下であることを特徴とする請求項１〜４のいずれか一つに記載の包装用箱。
【請求項６】
前記押し破り領域に押し破ることを指示する表示部を設けたことを特徴とする請求項１〜５のいずれか一つに記載の包装用箱。
【発明の詳細な説明】
【技術分野】
【０００１】
本発明は、前面板を上端から部分的に覆う被覆フラップを有する包装用箱に関する。
【背景技術】
【０００２】
従来、包装用箱に関し、開封性の工夫がなされている。例えば、包装箱の一つの面上に開口誘導辺を挟んで隣接する第１開口部及び第２開口部を設け、第１開口部を押し下げて形成された空間を利用して、第２開口部を引き上げることで、容易に開封することができる包装箱が開示されている（例えば、特許文献１を参照。）。
【０００３】
前面パネルに横方向の帯状破断部が設けられていると共に両側面パネルには帯状破断部に連続して斜め上向きのミシン目が設けられており、開封時に帯状破断部を破り去りミシン目を破断して開封する紙製容器が開示されている（例えば、特許文献２を参照。）。
【０００４】
上蓋片と、上蓋片に連接する差込片と、箱の側面に設けられ、該側面の上端辺及び破断線で囲まれて差込片が糊付された糊付片と、糊付片の下方で糊付片から離れた位置に形成された長丸形の押込み部と、を有し、押込み部を箱の内側に押し入れて形成された開口部に、差込片の摘み部が張り出す構成となっており、この張り出した摘み部を引き上げることで、糊付片が破断線の切断によって側面から分離して、差込片及び上蓋片が側面から離れて開封される包装用箱が開示されている（例えば、特許文献３を参照。）。
【０００５】
対向する前壁と後壁とを含み、後壁の上端縁に連設された開閉フラップが前壁を上端側から部分的に覆うように延在し、前壁は、その上端近傍領域において、破断線で区画された破取り可能な開封片を備えるとともに、開閉フラップはその内面において開封片に接着され、開封片を区画する破断線の下端部は、前壁を覆う開閉フラップの下端部より下方位置にまで延在して、破断線の下端部と開閉フラップの下端部で囲まれた押破り領域が外部から視認可能に前壁上に露出し、押破り領域を指で押し破るとともに、開封片及び開閉フラップを一体に摘んで開封するよう構成した包装用箱が開示されている（例えば、特許文献４を参照。）。
【先行技術文献】
【特許文献】
【０００６】
【特許文献１】特開平７−１１２７３８号公報
【特許文献２】実開平４−１０９０２２号公報
【特許文献３】特開２００５−１１２３８４号公報
【特許文献４】特開２０１０−２３８５２号公報
【発明の概要】
【発明が解決しようとする課題】
【０００７】
特許文献３又は４記載の箱のように、箱の前面板を上端から部分的に覆う被覆フラップを有する箱は、再封止性を有するため、数回に分けて使用される内容物の容器として適している。箱の前面板を上端から部分的に覆う被覆フラップを有する箱では、被覆フラップ及び前面板の２枚の板が同時に引き上げられることで、適正な開封がなされる。ところが、特許文献３記載の紙製容器では、開封動作が差込片だけを摘んで持ち上げる動作であるため、差込片と糊付片とが剥離して差込片だけが引き上げられてしまい、適正な開封ができないおそれがある。特許文献４記載の包装用箱では、開封片及び開閉フラップを一体に摘んで開封するよう構成されているため、開封動作時に開封片と開閉フラップとが剥離する問題は生じにくい。しかし、開封後の箱は押破り領域が押込まれて箱の内部に通じる孔が形成されており、その孔からほこり又はごみが入りやすい問題がある。このため、長期保存する場合のある内容物の容器としては適さない。
【０００８】
本発明の目的は、前面板を上端から部分的に覆う被覆フラップを有する包装用箱に関し、輸送時又は保管時などの未開封状態時に意図せず開封されることがなく、開封時にはより確実に開封することができる包装用箱を提供することである。
【課題を解決するための手段】
【０００９】
本発明に係る包装用箱は、四角形状の底面板と、該底面板の各辺から立設する、前面板、右側面板、後面板及び左側面板と、前記後面板の上端辺に連接し、前記底面板に対向する天面板とを有する角筒状箱体であり、該角筒状箱体は、前記天面板に連接し、前記前面板を上端から部分的に覆う被覆フラップを有し、前記後面板には左右方向に伸びるヒンジ線が形成され、該ヒンジ線の両端に連結する開封線が前記右側面板、前記前面板及び前記左側面板に跨って形成され、前記ヒンジ線及び前記開封線を境界として、前記底面板を含み、内部に内容物を収容する本体部と、前記天面板を含み、前記ヒンジ線を軸として後方に回動することで前記本体部を開封する開封部とが区画された包装用箱において、前記被覆フラップは、前記前面板の前記開封線よりも上方の領域に接着され、かつ、前記前面板に形成された開封線を覆い、前記前面板は、前記開封線と、該開封線から下方に向かって伸び、かつ、前記被覆フラップの下端辺よりも下方位置まで延在する２本の切目線と、該２本の切目線の下端部同士を結ぶ連結線とで区画された押し破り領域を有することを特徴とする。
【００１０】
本発明に係る包装用箱では、前記右側面板及び前記左側面板に形成された開封線は、線状の第１切れ目と、該第１切れ目の前記切目線側の先端から斜めに伸びる線状の第２切れ目と、該第２切れ目の端に連続し、前記第１切れ目の延長線に並行する線状の第３切れ目とを有する複数の屈曲線状の切れ目線が、それぞれつなぎを介して１列に並べられており、前記前面板に形成された前記押し破り領域以外の部分の開封線は、（ａ）線状の第１切れ目と、該第１切れ目の前記切目線側の先端から斜めに伸びる線状の第２切れ目とからなる屈曲線状の切れ目線を有する、（ｂ）線状の第１切れ目からなる切れ目線を有する、又は（ａ）及び（ｂ）の組合せであることが好ましい。右側面板及び左側面板では開封線が意図せず切断することを防止しながら、前面板では開封線をより小さな力で開封できる。
【００１１】
本発明に係る包装用箱では、前記内容物が折曲げられたシート状物であり、該折曲げられたシート状物が、前記押し破り領域の内表面に接した状態で収納されていることが好ましい。折曲げられたシート状物が押し破り領域を箱の内方から押すことで押し破り領域に外部から加えられる衝撃が吸収されるため、押し破り領域が意図せず押し破られにくい。また、仮に押し破り領域が意図せず破れたとしても、押し破り領域が箱の内方に押し込まれにくく、商品の見た目が悪くなることを防止することができる。
【００１２】
本発明に係る包装用箱では、前記被覆フラップの下端辺と前記開封線の前記２本の切目線の間の部分との距離は、５ｍｍ以下であることが好ましい。開封時に、使用者が被覆フラップ及び前面板を同時に摘んで引き上げることができ、より確実に適正な開封をすることができる。
【００１３】
本発明に係る包装用箱では、前記押し破り領域に押し破ることを指示する表示部を設けることが好ましい。使用者により確実に適正な開封をできる手順を伝えることができる。
【００１４】
本発明に係る包装用箱では、前記右側面板及び前記左側面板に形成された開封線を先行して破断することを示す第１表示部と、前記右側面板及び前記左側面板に形成された開封線を破断後、前記押し破り領域を押し破ることを指示する第２表示部とを有することが好ましい。使用者により確実に適正な開封をできる手順を伝えることができる。
【発明の効果】
【００１５】
本発明は、前面板を上端から部分的に覆う被覆フラップを有する包装用箱に関し、輸送時又は保管時などの未開封状態時に意図せず開封されることがなく、開封時にはより確実に開封することができる包装用箱を提供することができる。
【図面の簡単な説明】
【００１６】
【図１】本実施形態に係る包装用箱の一例を示す右前方から見た斜視図である。
【図２】本実施形態に係る包装用箱の一例を示す左後方から見た斜視図である。
【図３】本実施形態に係る包装用箱のブランクシートの一例を示す図である。
【図４】本実施形態に係る包装用箱の一例を示す正面図である。
【図５】本実施形態に係る包装用箱の一例を示す右側面図である。
【図６】図４のＸ−Ｘ線で切断した断面図である。
【図７】包装用箱を開封した状態を示す図である。
【発明を実施するための形態】
【００１７】
次に、本発明について実施形態を示して詳細に説明するが本発明はこれらの記載に限定して解釈されない。本発明の効果を奏する限り、実施形態は種々の変形をしてもよい。
【００１８】
図１及び図２は、本実施形態に係る包装用箱の一例を示す斜視図である。本実施形態に係る包装用箱１は、図１及び図２に示すように、四角形状の底面板２と、底面板２の各辺から立設する、前面板３、右側面板４、後面板５及び左側面板６と、後面板５の上端辺に連接し、底面板２に対向する天面板７とを有する角筒状箱体であり、角筒状箱体は、天面板７に連接し、前面板３を上端から部分的に覆う被覆フラップ８を有し、後面板５には左右方向に伸びるヒンジ線２１が形成され、ヒンジ線２１の両端に連結する開封線２２（２２ａ，２２ｂ，２２ｃ）が右側面板４、前面板３及び左側面板６に跨って形成され、ヒンジ線２１及び開封線２２を境界として、底面板２を含み、内部に内容物を収容する本体部３０と、天面板７を含み、ヒンジ線２１を軸として後方に回動することで本体部３０を開封する開封部３１とが区画された包装用箱において、被覆フラップ８は、前面板３の開封線２２ｂよりも上方の領域３ｃに接着され、かつ、前面板３に形成された開封線２２ｂを覆い、前面板３は、開封線２２ｂと、開封線２２ｂから下方に向かって伸び、かつ、被覆フラップ８の下端辺８ａよりも下方位置まで延在する２本の切目線２３と、２本の切目線２３の下端部同士を結ぶ連結線２４とで区画された押し破り領域２５を有する。
【００１９】
包装用箱１は、図１及び図２に示すように、角筒状箱体であり、例えば、底面板２、前面板３、右側面板４、後面板５、左側面板６及び天面板７で構成された六面体形状をなす。包装用箱１の材質は、特に限定されないが、例えば、板紙若しくはダンボール紙などの紙、又はプラスチック板である。包装用箱１を構成する板材の厚さは、特に限定されないが、例えば０．３〜１．０ｍｍである。
【００２０】
図３は、本実施形態に係る包装用箱のブランクシートの一例を示す図である。包装用箱１は、例えば、図３に示すような１枚のブランクシート１００を組み立てて形成される。ブランクシート１００では、右側面板４、前面板３、左側面板６、後面板５及び糊付片９が、それぞれ折罫線を介して連接する。右側面板４の上端辺４ａ及び下端辺４ｂには、折罫線が設けられ、右上片１１及び右下片１３がそれぞれ連接する。前面板３の上端辺３ａには、折罫線が設けられ、天面糊付片１０が連接し、天面糊付片１０には差込片１６が折罫線１０ａを介して連接する。前面板３の下端辺３ｂには、折罫線が設けられ、底面板２が連接する。左側面板６の上端辺６ａ及び下端辺６ｂには、折罫線が設けられ、左上片１２及び左下片１４がそれぞれ連接する。後面板５の上端辺５ａには、折罫線が設けられ、天面板７が連接し、天面板７には被覆フラップ８が折罫線７ａを介して連接する。後面板５の下端辺５ｂには、折罫線が設けられ、底面糊付片１５が連接する。また、図３に示すブランクシート１００は、本発明の効果を損なわない範囲で種々の変形をしてもよい。
【００２１】
ヒンジ線２１は、図３に示すように、後面板５を横切って、左右方向に伸びる線であり、後面板５の上端辺５ａと平行であることが好ましい。ヒンジ線２１は、後面板５を上下方向に二等分したとき、上半分にあることが好ましい。ヒンジ線２１は、折罫線又はミシン目線などの折曲げやすい加工が施されていることが好ましい。本明細書において、右方向とは、左側面板６から右側面板４に向かう方向をいい、左方向とは、右側面板４から左側面板６に向かう方向をいう。また、上方向とは底面板２から天面板７に向かう方向をいい、下方向とは天面板７から底面板２に向かう方向をいう。
【００２２】
開封線２２（２２ａ，２２ｂ，２２ｃ）は、図３に示すように、右側面板４、前面板３及び左側面板６に跨って形成され、右側面板４に形成された開封線２２ａと、前面板３に形成された開封線２２ｂと、左側面板６に形成された開封線２２ｃとを有する。開封線２２（２２ａ，２２ｂ，２２ｃ）は、例えば、ミシン目線である。包装用箱１を組み立てたとき、開封線２２の両端は、ヒンジ線２１に連結する。右側面板４に設けられた開封線２２ａは、例えば、前面板３に近づくにつれて下方に向かう下り傾斜をなす。前面板３に設けられた開封線２２ｂは、段差部４１を形成する開封線２２ｂ１と、段差部４１によって他の部分よりも下方に配置された開封線２２ｂ２とを有することが好ましい。段差部４１は、開封後に、被覆フラップ８を内側に差し込む部分である。段差部４１の内側に被覆フラップ８を差し込むことで、包装用箱１をリクローズすることができる。左側面板６に設けられた開封線２２ｃは、例えば、前面板３に近づくにつれて下方に向かう下り傾斜をなす。
【００２３】
押し破り領域２５は、開封線２２ｂと、開封線２２ｂから下方に向かって伸び、かつ、被覆フラップ８の下端辺８ａよりも下方位置まで延在する２本の切目線２３と、２本の切目線２３の下端部同士を結ぶ連結線２４とで区画された領域である。押し破り領域２５を区画する開封線２２ｂは、段差部４１によって他の部分よりも下方に配置された開封線２２ｂ２であることが好ましい。２本の切目線２３は、互いに間隔をあけて並列する。２本の切目線２３同士の間隔Ｓは、押し破り領域２５を指で押し込むことができればよく、特に限定されないが、例えば１０〜５０ｍｍである。より好ましくは１５〜３０ｍｍである。また、切目線２３の長さＴ０は、被覆フラップ８の下端辺８ａよりも下方位置まで延在していればよく、特に限定されないが、例えば１０〜３０ｍｍである。より好ましくは、１０〜３０ｍｍである。連結線２４は、折罫線又はミシン目線などの折曲げやすい加工が施されていることが好ましいが、印刷線であってもよい。連結線２４は、開封線２２ｂ２と平行であることが好ましい。
【００２４】
次に、ブランクシート１００から包装用箱１を組み立てる手順の一例を説明する。ブランクシート１００では、右側面板４、前面板３、左側面板６及び後面板５が角筒状に折曲げられ、糊付片９が右側面板４に接着される。次いで、右下片１３及び左下片１４が折り曲げられた後、底面糊付片１５及び底面板２が順次折曲げられるとともに、底面板２が底面糊付片１５に接着される。また、右上片１１及び左上片１２が折り曲げられた後、天面糊付片１０が折り曲げられて、差込片１６が後面板５の内壁面に当接した状態で差し込まれる。最後に、天面板７が天面糊付片１０を覆うように折り曲げられ、被覆フラップ８が前面板３を覆うように折り曲げられるとともに、天面板７が天面糊付片１０に接着され、被覆フラップ８が前面板３の開封線２２ｂよりも上方の領域３ｃに接着される。
【００２５】
本体部３０は、図１及び図２に示すように、包装用箱１のうち、ヒンジ線２１及び開封線２２よりも天面板７側の部分であり、内容物（不図示）が収容される。内容物は、特に限定されないが、例えば、日用品、食品又は医薬品である。開封部３１は、包装用箱１のうち、ヒンジ線２１及び開封線２２よりも底面板２側の部分である。
【００２６】
図４は、本実施形態に係る包装用箱の一例を示す正面図である。被覆フラップ８は、図４に示すように、前面板３に形成された開封線２２ｂを覆う。すなわち、被覆フラップ８の下端辺８ａは、開封線２２ｂよりも底面板２側にある。被覆フラップ８の下端辺８ａの形状は、前面板３に形成された開封線２２ｂを覆っていればよく、特に限定されず、例えば、図５に示すような直線状の他、下方向に凸の曲線状、上方向に凸の曲線状又は波線状であってもよい。被覆フラップ８が開封線２２ｂを覆うことで、開封線２２ｂが輸送時又は保管時に意図せず切断することを防止することができる。
【００２７】
本実施形態に係る包装用箱１では、被覆フラップ８の下端辺８ａと開封線２２ｂの２本の切目線２３の間の部分との距離Ｔ１は、５ｍｍ以下であることが好ましい。より好ましくは３ｍｍ以下である。被覆フラップ８の下端辺８ａと開封線２２ｂの２本の切目線２３の間の部分との距離Ｔ１を適切な範囲とすることで、開封時に、使用者が被覆フラップ８及び前面板３の開封線２２ｂよりも上方の領域３ｃを同時に摘んで引き上げることができ、より確実に適正な開封をすることができる。距離Ｔ１が５ｍｍを超えると、被覆フラップ８だけを摘んで開封されるおそれがある。その結果、被覆フラップ８が前面板３から剥離して、被覆フラップ８だけが引き上げられて適正な開封ができない場合がある。被覆フラップ８の下端辺８ａと開封線２２ｂの２本の切目線２３の間の部分との距離Ｔ１の下限は、開封線２２ｂの保護の観点から、０ｍｍを超えることが好ましく、１ｍｍ以上であることがより好ましい。被覆フラップ８の下端辺８ａと開封線２２ｂの２本の切目線２３の間の部分との距離Ｔ１は、被覆フラップ８の下端辺８ａ上の任意の点から開封線２２ｂの２本の切目線２３の間の部分に下ろした垂線のうち、最長なものの長さをいう。
【００２８】
２本の切目線２３は、被覆フラップ８の下端辺８ａよりも下方位置まで延在する。２本の切目線２３が被覆フラップ８の下端辺８ａよりも下方位置まで延在する長さＴ２は、押し破り領域２５を指で押し込むことができればよく、特に限定されないが、例えば５〜３０ｍｍである。より好ましくは、８〜２０ｍｍである。
【００２９】
次に、開封線２２（２２ａ，２２ｂ，２２ｃ）のより好ましい形態について説明する。
【００３０】
図５は、本実施形態に係る包装用箱の一例を示す右側面図である。本実施形態に係る包装用箱１では、右側面板４に形成された開封線２２ａは、線状の第１切れ目２０１と、第１切れ目２０１の切目線２３（図３に図示）側の先端から斜めに伸びる線状の第２切れ目２０２と、第２切れ目２０２の端に連続し、第１切れ目２０１の延長線に並行する線状の第３切れ目２０３とを有する複数の屈曲線状の切れ目線２００が、それぞれつなぎ２０４を介して１列に並べられていることが好ましい。また、左側面板６に形成された開封線２２ｃは、図２に示すように、右側面板４に形成された開封線２２ａと同様に、複数の屈曲線状の切れ目線２００が、それぞれつなぎ２０４を介して１列に並べられていることが好ましい。
【００３１】
屈曲線状の切れ目線２００を構成する各切れ目２０１〜２０３及びつなぎ２０４について説明する。第１切れ目２０１は、図５に示すように曲線状であるか、又は直線状（不図示）若しくは曲げ部を有する折れ線状（不図示）などの線状であってもよい。図５では、一例として並び合う第１切れ目２０１同士が、全体として天面板７側に凸の曲線状をなす形態を示したが、本願発明はこれに限定されない。第１切れ目２０１の長さは、特に限定されないが、例えば３〜１５ｍｍである。第２切れ目２０２は、直線状（図５に図示）、曲線状（不図示）又は曲げ部を有する折れ線状（不図示）などの線状であり、直線状であることが好ましい。第２切れ目２０２の長さは、特に限定されないが、例えば１〜４ｍｍである。第１切れ目２０１が曲線状であるとき、第２切れ目２０２と第１切れ目２０１の切目線２３側の先端で引いた接線とのなす角度のうち開封部３１側の角度は、例えば３０〜６０°である。第１切れ目２０１が直線状であるとき、第２切れ目２０２と第１切れ目２０１とのなす角度のうち開封部３１側の角度は、例えば３０〜６０°である。第３切れ目２０３は、直線状（図５に図示）、曲線状（不図示）又は曲げ部を有する折れ線状（不図示）などの線状であり、直線状であることが好ましい。第３切れ目２０３の長さは、特に限定されないが、例えば１〜３ｍｍである。つなぎ２０４は、並び合う第１切れ目２０１間の距離であり、その距離は、特に限定されないが、例えば０．５〜４ｍｍである。
【００３２】
本実施形態に係る包装用箱１では、前面板３に形成された押し破り領域２５以外の部分の開封線２２ｂ１は、図４に示すように、（ａ）線状の第１切れ目３０１と、第１切れ目３０１の切目線２３側の先端から斜めに伸びる線状の第２切れ目３０２とからなる屈曲線状の切れ目線３００Ａと、（ｂ）線状の第１切れ目３０４からなる切れ目線３００Ｂと、の組合せであることが好ましい。
【００３３】
（ａ）屈曲線状の切れ目線３００Ａは、第１切れ目３０１と第２切れ目３０２とからなる。屈曲線状の切れ目線３００Ａを構成する各切れ目３０１，３０２について説明する。第１切れ目３０１は、図４に示すように曲り部３０３を有する折れ線状であるか、又は直線状（不図示）若しくは曲線状（不図示）などの線状であってもよい。第１切れ目３０１の長さは、特に限定されないが、例えば３〜１５ｍｍである。第２切れ目３０２は、直線状（図４に図示）、曲り部を有する折れ線状（不図示）又は曲線状（不図示）などの線状であり、直線状であることが好ましい。第２切れ目３０２の長さは、特に限定されないが、例えば１〜４ｍｍである。第２切れ目３０２は、第１切れ目３０１とのなす角度のうち開封部３１側の角度は、例えば３０〜６０°である。屈曲線状の切れ目線３００は、前面板３に形成された押し破り領域２５以外の部分の長さに応じて、１個配置するか、又は複数個配置してもよい。屈曲線状の切れ目線３００を複数個配置するとき、複数の屈曲線状の切れ目線３００は、それぞれつなぎ（不図示）を介して１列に並べられる。つなぎ（不図示）は、並び合う第１切れ目３０１間の距離であり、その距離は、特に限定されないが、例えば０．５〜４ｍｍである。
【００３４】
（ｂ）切れ目線３００Ｂは、第１切れ目３０４だけからなる。第１切れ目３０４は、図４に示すような直線状であるか、又は曲げ部を有する折れ線状（不図示）若しくは曲線状（不図示）などの線状であってもよい。前面板３に形成された開封線２２ｂのうち、押し破り領域２５以外の部分の開封線２２ｂ１は、図４では（ａ）及び（ｂ）の組合せである形態を示したが、これに限定されない。開封線２２ｂ１の変形形態の第一例としては、図４において、切れ目線３００Ａを構成する第２切れ目３０２を省略して、第１切れ目３０１だけからなる切れ目線（不図示）に置き換えた形態である。この変形形態の第一例では、開封線２２ｂ１が（ｂ）だけを有することとなる。また、開封線２２ｂ１の変形形態の第二例としては、図４において、切れ目線３００Ｂを構成する第１切れ目３０４の切目線２３側の先端を短くして、第１切れ目３０４の切目線２３側の先端に、第１切れ目３０４に対して斜めに伸びる第２切れ目（不図示）を設ける形態である。この変形形態の第二例では、開封線２２ｂ１が（ａ）だけを有することとなる。
【００３５】
前面板３に形成された開封線２２ｂのうち、押し破り領域２５を区画する開封線２２ｂ２は、複数の線状の切れ目線３０５が、それぞれつなぎ３０６を介して１列に並べられていることが好ましい。押し破り領域２５の押し破りをより小さな力で行うことができる。切れ目線３０５は、図４に示すような直線状であるか、又は曲り部を有する折れ線状（不図示）若しくは曲線状（不図示）などの線状であってもよい。
【００３６】
右側面板４及び左側面板６に形成された開封線２２ａ，２２ｃを屈曲線状の切れ目線２００とし、かつ、前面板３に形成された開封線２２ｂのうち、押し破り領域２５以外の部分の開封線２２ｂ１を（ａ）、（ｂ）又は、（ａ）及び（ｂ）の組合せとすることで、次の作用効果が得られる。すなわち、右側面板４に形成された開封線２２ａ及び左側面板に形成された開封線２２ｃはフラップなどで覆われることなく露出しており、輸送時又は保管時などの未開封状態時に生じる外部からの衝撃に対抗しうる強度が求められる。そこで、開封線２２ａ，２２ｃを、屈曲線状の切れ目線２００のような、比較的強度が高い構造とすることで、輸送時又は保管時などの未開封状態時に意図せず開封線２２ａ，２２ｃが切断することを防止することができる。一方、前面板３に形成された開封線２２ｂは、被覆フラップ８で覆われているため、耐衝撃性よりも、開封しやすさが重要となる。特に、前面板３に形成された開封線２２ｂのうち押し破り領域２５以外の部分の開封線２２ｂ１は、被覆フラップ８の引き上げによって切断される部分であるため、比較的強度が弱い構造とすることで、より小さな力で開封することができる。また、万一被覆フラップ８だけを摘んで開封動作がなされたとしても、被覆フラップ８が前面板３から剥離するにくくすることができる。このように、前面板３と、右側面板４及び左側面板６とでは、開封線２２ａ，２２ｂ１，２２ｃに求められる強度がそれぞれ異なり、適正な構造の開封線を組合せて配置することで、良好な開封性と、意図しない開封の防止とを両立することができる。
【００３７】
図６は、図４のＸ−Ｘ線で切断した断面図である。本実施形態に係る包装用箱１では、図６に示すように、内容物３２が折曲げられたシート状物であり、折曲げられたシート状物が、押し破り領域２５の内表面に接した状態で収納されていることが好ましい。折曲げられたシート状物は全体で弾力を有する。このため、折曲げられたシート状物が押し破り領域２５を箱の内方から押すことで押し破り領域２５に外部から加えられる衝撃が吸収される。その結果、押し破り領域が意図せず押し破られにくい。また、仮に押し破り領域２５が意図せず破れたとしても、押し破り領域２５が箱の内方に押し込まれにくく、商品の見た目が悪くなることを防止することができる。シート状物は、例えば、チャック袋などの保存袋（図６に図示）、ごみ袋、保存用袋、ふきん、フィルター又は脱臭シートである。これらは複数枚入りの商品として流通することが多く、通常、箱内に折曲げられて収容される。
【００３８】
図７は、包装用箱を開封した状態を示す図である。図７を参照して、包装用箱１の開封動作を説明する。まず、押し破り領域２５を指で箱の内方に向けて押圧する。押し破り領域２５を指で押圧すると、開封線２２ｂ２（図１に図示）及び２本の切目線２３（図１に図示）が切断され、押し破り領域２５は、連結線２４を軸として包装用箱１の内方に回動して、包装用箱１の内方に押し込まれる。次いで、押し破り領域２５を押し破って形成された孔４２から被覆フラップ８及び前面板３の開封線２２ｂよりも上方の領域３ｃを同時に摘んで引き上げると、開封線２２ｂ１（図１に図示）が切断し、次いで開封線２２ａ（図１に図示），２２ｃ（図２に図示）が切断する。そして、開封部３１がヒンジ線２１（図２に図示）を軸として後方に回動し、包装用箱１が開封される。このように、被覆フラップ８及び前面板３の開封線２２ｂよりも上方の領域３ｃを同時に摘んで引き上げることで、被覆フラップ８が前面板３から剥離して被覆フラップ８だけが引き上げられることを防止することができる。また、開封後にリクローズするときは、被覆フラップ８を段差部４１の内側に差し込む。
【００３９】
本実施形態に係る包装用箱１では、押し破り領域２５に押し破ることを指示する表示部（不図示）を設けることが好ましい。表示部（不図示）は、例えば、押し破り領域２５に設けた、「ＯＰＥＮ」、「ＰＵＳＨ」又は「押す」などの印刷である。表示部を設けることで、使用者により確実に適正な開封ができる手順を伝えることができる。
【００４０】
本実施形態に係る包装用箱１では、右側面板４及び左側面板６に形成された開封線２２ａ，２２ｃを先行して破断することを示す第１表示部（不図示）と、右側面板４及び左側面板６に形成された開封線２２ａ，２２ｃを破断後、押し破り領域２５を押し破ることを指示する第２表示部（不図示）とを有することが好ましい。第１表示部（不図示）は、例えば、右側面板４及び左側面板６に設けた印刷である。第２表示部（不図示）は、例えば、押し破り領域２５に設けた印刷である。第１表示部及び第２表示部を設けることで、使用者により確実に適正な開封ができる手順を伝えることができる。
【００４１】
ここまで、包装用箱１が、図１及び図２に示すように、左右方向の長さを上下方向の長さよりも小さくした、縦長の直方体形状である形態を示したが、本実施形態ではこれに限定されず、横長の直方体形状、立方体形状又はこれらの変形形状としてもよい。変形形状としては、例えば、底面板２を、角を丸めた四角形状とし、丸めた部分から立設する連結板（不図示）を、前面板３、右側面板４、後面板５及び左側面板６のそれぞれの間に設けた形態である。
【符号の説明】
【００４２】
１  包装用箱
２  底面板
３  前面板
３ａ  前面板の上端辺
３ｂ  前面板の下端辺
３ｃ  前面板の開封線よりも上方の領域
４  右側面板
４ａ  右側面板の上端辺
４ｂ  右側面板の下端辺
５  後面板
５ａ  後面板の上端辺
５ｂ  後面板の下端辺
６  左側面板
６ａ  左側面板の上端辺
６ｂ  左側面板の下端辺
７  天面板
７ａ  折罫線
８  被覆フラップ
８ａ  被覆フラップの下端辺
９  糊付片
１０  天面糊付片
１０ａ  折罫線
１１  右上片
１２  左上片
１３  右下片
１４  左下片
１５  底面糊付片
１６  差込片
２１  ヒンジ線
２２（２２ａ，２２ｂ，２２ｃ）  開封線
２２ｂ１，２２ｂ２  開封線
２３  切目線
２４  連結線
２５  押し破り領域
３０  本体部
３１  開封部
３２  内容物
４１  段差部
１００  ブランクシート
２００  屈曲線状の切れ目線
２０１  線状の第１切れ目
２０２  第２切れ目
２０３  第３切れ目
２０４  つなぎ
３００  屈曲線状の切れ目線
３００Ａ、３００Ｂ  切れ目線
３０１  線状の第１切れ目
３０２  第２切れ目
３０３  曲り部
３０４  線状の第１切れ目
３０５  線状の切れ目線
３０６  つなぎ
Ｓ  ２本の切目線２３の間隔
Ｔ０  切目線の長さ
Ｔ１  被覆フラップの下端辺と開封線の２本の切目線の間の部分との距離
Ｔ２  ２本の切目線が被覆フラップの下端辺よりも下方位置まで延在する長さ
【図１】
0006402006.tif 000002
【図２】
0006402006.tif 000003
【図３】
0006402006.tif 000004
【図４】
0006402006.tif 000005
【図５】
0006402006.tif 000006
【図６】
0006402006.tif 000007
【図７】
0006402006.tif 000008